(57)【要約】【課題】ユーザの操作から、投射が不適切であるか否かを判断し、投射が不適切な場合、投射を停止する投射機能付き電子機器を提供する。【解決手段】ＬＥＤ光源２２３からの投射光により画像を投射面に投影する投射ユニット２００と、投射面までの距離が近い場合は第１操作範囲内のいずれかの操作位置において、および投射面までの距離が遠い場合は第２操作範囲内のいずれかの操作位置において、画像の焦点調節状態の調節を指示するフォーカス環２２５Ａと、フォーカス環２２５Ａの操作に応じて駆動され、投射面に投影される画像の焦点調節状態を調節するフォーカスレンズと、フォーカス環２２５Ａが第１および第２操作範囲外の操作位置に操作されている場合、ＬＥＤ光源２２３に供給される電力を低減または遮断する光源供給電力制御部１０１Ａとを備える。【選択図】図２
2009088898.tif 000002
【特許請求の範囲】
【請求項１】
光源からの投射光により画像を投射面に投影する投射手段と、
前記投射面までの距離が近い場合は第１操作範囲内のいずれかの操作位置において、および前記投射面までの距離が遠い場合は第２操作範囲内のいずれかの操作位置において、前記画像の焦点調節状態の調節を指示する操作部材と、
前記操作部材の操作に応じて駆動され、前記投射面に投影される画像の焦点調節状態を調節するフォーカスレンズと、
前記操作部材が前記第１および第２操作範囲外の操作位置に操作されている場合、前記光源に供給される電力を低減または遮断する電力制御手段とを備えることを特徴とする投射機能付き電子機器。
【請求項２】
請求項１に記載の投射機能付き電子機器において、
前記操作部材は、前記フォーカスレンズによる焦点調節状態を調節するフォーカスリングまたはスイッチであり、前記フォーカスリングまたはスイッチの操作により前記フォーカスレンズによる焦点調節状態を変更することを特徴とする投射機能付き電子機器。
【請求項３】
光源からの投射光により画像を投射する投射光学系と、
前記投射される画像を少なくとも第１および第２サイズに変更するズーム光学系と、
前記第１のサイズを指示する第１位置および第２のサイズを指示する第２位置の少なくとも２つの操作位置に操作される操作部材と、
前記操作部材が前記第１および第２位置以外の位置に操作されている場合、前記光源に供給される電力を低減または遮断する電力制御手段とを備えることを特徴とする投射機能付き電子機器。
【請求項４】
請求項３に記載の投射機能付き電子機器において、
前記操作部材は、前記ズーム光学系の焦点距離を変更するズームリングまたはスイッチであり、前記ズームリングまたはスイッチが前記第１および第２位置のいずれかの位置に切り替えられると、前記ズーム光学系は対応する焦点距離に設定されることを特徴とする投射機能付き電子機器。
【請求項５】
請求項１乃至４のいずれか１項に記載の投射機能付き電子機器において、
被写体を撮像して画像信号を出力する撮像手段を備え、
投射機能付き電子機器は、投射機能付きカメラであることを特徴とする投射機能付き電子機器。
【発明の詳細な説明】
【技術分野】
【０００１】
本発明は、投射機能付き電子機器に関する。
【背景技術】
【０００２】
外部環境の変化を検知する認識部によって、映写が不適切であると判断した場合に自動的に電源を切断するバッテリ動作可能なプロジェクタが従来技術として知られている（たとえば、特許文献１）。
【特許文献１】特開２００７−５７８０２号公報
【発明の開示】
【発明が解決しようとする課題】
【０００３】
特許文献１に記載のバッテリ動作可能なプロジェクタでは、ユーザの意思によらず認識部が検出した外部環境に基づいて電源を切断してしまうという問題点がある。
【課題を解決するための手段】
【０００４】
（１）請求項１の発明の投射機能付き電子機器は、光源からの投射光により画像を投射面に投影する投射手段と、投射面までの距離が近い場合は第１操作範囲内のいずれかの操作位置において、および投射面までの距離が遠い場合は第２操作範囲内のいずれかの操作位置において、画像の焦点調節状態の調節を指示する操作部材と、操作部材の操作に応じて駆動され、投射面に投影される画像の焦点調節状態を調節するフォーカスレンズと、操作部材が第１および第２操作範囲外の操作位置に操作されている場合、光源に供給される電力を低減または遮断する電力制御手段とを備えることを特徴とする。
（２）請求項２の発明は、請求項１に記載の投射機能付き電子機器において、操作部材は、フォーカスレンズによる焦点調節状態を調節するフォーカスリングまたはスイッチであり、フォーカスリングまたはスイッチの操作によりフォーカスレンズによる焦点調節状態を変更することを特徴とする。
（３）請求項３の発明の投射機能付き電子機器は、光源からの投射光により画像を投射する投射光学系と、投射される画像を少なくとも第１および第２サイズに変更するズーム光学系と、第１のサイズを指示する第１位置および第２のサイズを指示する第２位置の少なくとも２つの操作位置に操作される操作部材と、操作部材が第１および第２位置以外の位置に操作されている場合、光源に供給される電力を低減または遮断する電力制御手段とを備えることを特徴とする。
（４）請求項４の発明は、請求項３に記載の投射機能付き電子機器において、操作部材は、ズーム光学系の焦点距離を変更するズームリングまたはスイッチであり、ズームリングまたはスイッチが第１および第２位置のいずれかの位置に切り替えられると、ズーム光学系は対応する焦点距離に設定されることを特徴とする。
（５）請求項５の発明は、請求項１乃至４のいずれか１項に記載の投射機能付き電子機器において、被写体を撮像して画像信号を出力する撮像手段を備え、投射機能付き電子機器は、投射機能付きカメラであることを特徴とする。
【発明の効果】
【０００５】
本発明によれば、焦点調節操作や投射画像サイズ切替操作において、不適切な画像が投射されるような操作位置では、光源を消灯したり、光量を低減したりすることにより、ユーザの意思により不適切な投射を防止できる。
【発明を実施するための最良の形態】
【０００６】
−第１の実施形態−
以下、図面を参照して本発明の第１の実施形態の投射機能付きカメラ１Ａについて説明する。投射機能付きカメラ１Ａは、撮影機能と投射機能とを有する。また、投射機能付きカメラ１Ａは、投射面に投射される投射画像を大サイズ投射画像と小サイズ投射画像の２通りに変更することができる。図１（ａ）は、本発明の第１の実施形態による投射機能付きカメラ１Ａを前方から見た図である。図１（ａ）において、投射機能付きカメラ１Ａの正面には、撮像光学系１２１（図示せず。図２参照。）を構成する撮影レンズ１２１Ａと、投射光学系２２１（図示せず。図２参照。）の投射レンズ２２１Ａと、フォーカス環２２５Ａとが設けられている。フォーカス環２２５Ａは、投射レンズ２２１Ａの光軸を中心に回動可能である。投射機能付きカメラ１の筐体には、フォーカス環２２５Ａの回動位置が認識できるように、「Ｗ」、「Ｔ」、「ＯＦＦ」の文字が表記されている。
【０００７】
投射機能付きカメラ１Ａは、机上などに載置された状態、または不図示のクレードル上に載置された状態で、前方のスクリーンなどに向けて、内蔵する投射ユニット２００（プロジェクタ）によって画像などの投射情報を投射する。投射機能付きカメラ１Ａの上面には、レリーズスイッチ１０３Ａが設けられている。後述する撮像ユニット１００（図２）の撮像光学系１２１と、投射ユニット２００の投射光学系２２１とは縦方向に並べて配設される。
【０００８】
フォーカス環２２５Ａを回動すると、撮像光学系１２１を構成するフォーカスレンズのレンズ位置が光軸方向で変わり、投射面上に投射した画像の結像状態を調整することができる。投射機能付きカメラ１は、部屋の壁および部屋の天井に投射画像を投射することを想定している。フォーカス環２２５Ａを「Ｗ」の位置付近に回動すると、部屋の壁に投射画像を投射することを想定して、投射距離が４０〜６０ｃｍである範囲で焦点を調節できる。フォーカス環２２５Ａを「Ｔ」の位置付近に回動すると、部屋の天井に投射画像を投射することを想定して、投射距離が２．５〜３．０ｍである範囲で焦点を調整できる。
【０００９】
投射距離が４０〜６０ｃｍである場合、投射距離が短いので、スクリーン面上の投射画像は小さく投射され、投射距離が２．５〜３．０ｍである場合、投射距離が長いので、スクリーン面上の投射画面は大きく投射される。したがって、フォーカス環２２５Ａを「Ｗ」の位置付近に回動すると、小サイズの投射画像が投射され、フォーカス環２２５Ａを「Ｔ」の位置付近に回動すると、大サイズの投射画像が投射されることになる。
【００１０】
図１（ｂ）は、本発明の実施形態による投射機能付きカメラ１Ａを後方から見た図である。図１（ｂ）において、投射機能付きカメラ１Ａの背面には、液晶モニタ１０５の表示部１０５Ａと、ボタン類１０３Ｂ〜１０３Ｇとが設けられている。
【００１１】
投射機能付きカメラ１Ａは、静止画像や動画などを投射するのと同時に、投射している静止画像や動画などを液晶モニタ１０５の表示部１０５Ａに表示することができる。
【００１２】
図２は、投射機能付きカメラ１Ａの構成を説明するブロック図である。図２において投射機能付きカメラ１Ａは、撮像ユニット１００と、投射ユニット２００と、電源部３００と、制御回路１０１と、メモリ１０２と、操作部材１０３と、外部インターフェイス（Ｉ／Ｆ）回路１０４と、液晶モニタ１０５と、メモリカードインターフェイス（Ｉ／Ｆ）１０６とを備えている。メモリカードインターフェイス１０６には、メモリカード１５０が接続される。
【００１３】
制御回路１０１は、制御プログラムに基づいて、カメラ内各部から入力される信号を用いて所定の演算を行い、カメラ内各部に対する制御信号を送出する。これにより、投射機能付きカメラ１Ａの撮影動作、液晶再生動作および投射再生動作をそれぞれ制御する。なお、制御プログラムは制御回路１０１内の不図示のＲＯＭに格納される。また、制御回路１０１には不図示の画像処理用半導体が内蔵されている。画像処理用半導体は、液晶モニタ１０５や投射像に静止画像や動画を表示するための画像処理を行う。
【００１４】
制御回路１０１は、光源供給電力制御部１０１Ａを有する。光源供給電力制御部１０１Ａは、フォーカス環２２５Ａの回動位置に基づいて、投射ユニット２００のＬＥＤ光源２２３に供給する駆動電流を制御する。
【００１５】
メモリ１０２は制御回路１０１の作業用メモリとして使用される。操作部材１０３はレリーズスイッチ１０３Ａなどのボタンやスイッチを含み、操作されたボタンやスイッチに対応する操作信号を制御回路１０１へ送出する。メモリカード１５０は、制御回路１０１の指示によりデータの書き込み、保存および読み出しが可能である。
【００１６】
液晶モニタ１０５は、制御回路１０１からの指示により画像やテキストなどの情報を表示する。テキスト情報は、投射機能付きカメラ１Ａの操作メニュー、メッセージなどである。外部インターフェイス回路１０４は、制御回路１０１からの指示により外部機器（パーソナルコンピュータなど）との間でコマンドおよびデータを送受信する。
【００１７】
図２の撮像ユニット１００は、撮像光学系１２１、撮像素子１２２および撮像制御回路１２３を有し、制御回路１０１からの指示に応じて被写体の撮像を行う。撮像光学系１２１は、撮像素子１２２の撮像面上に被写体像を結像させる。撮像素子１２２としては、ＣＣＤやＣＭＯＳ撮像素子などが用いられる。撮像制御回路１２３は、制御回路１０１からの指示により撮像素子１２２を駆動制御するとともに、撮像素子１２２から出力される画像信号に対して所定の信号処理を行う。信号処理後の画像のデータは、所定形式の画像ファイルとしてメモリカード１５０に記録される。
【００１８】
図２の投射ユニット２００は、投射光学系２２１、液晶パネル２２２、ＬＥＤ光源２２３、投射制御回路２２４およびフォーカス環２２５Ａを含む。ＬＥＤ光源２２３は、供給電流に応じた明るさで液晶パネル２２２を照明する。液晶パネル２２２は、投射制御回路２２４からの駆動信号に応じて光像を生成する。投射光学系２２１は、液晶パネル２２２から射出される光像を投射する。投射光学系２２１にはフォーカスレンズが含まれる。投射制御回路２２４は、制御回路１０１からの指示により、ＬＥＤ光源２２３および液晶パネル２２２へ制御信号を送出する。フォーカス環２２５Ａは、回動可能な操作部材である。上述したように、フォーカス環２２５Ａを回動すると、投射光学系２２１を構成するフォーカスレンズのレンズ位置が光軸方向で変わり、投射面に焦点を合わせることができる。また、フォーカス環２２５Ａは、フォーカス環２２５Ａの回動位置の情報を制御回路１０１に出力する。
【００１９】
図２の電源部３００は、バッテリ３２１、電源回路３２２、およびバッテリ残量予測回路３２３を含む。バッテリ３２１は充電式電池、着脱可能な電池パックや乾電池などによって構成される。電源回路３２２は、バッテリ３２１から供給される電圧を所定電圧に変換する。バッテリ残量予測回路３２３は、バッテリ３２１の残量を予測して、制御回路１０１に残量データとして出力する。
【００２０】
図３〜図６を参照して、本発明の第１の実施形態における投射機能付きカメラ１Ａの投影画像の大きさと、フォーカス環２２５Ａの回動位置との関係について説明する。
【００２１】
図３（ａ）に示すように、フォーカス環２２５Ａの回動位置を「Ｔ」（テレ（望遠））の位置にすると、図３（ｂ）に示すように、投射面２０には、大サイズの投射画像３０が投射される。投射面２０までの投射距離は、３．０ｍである。
【００２２】
図４（ａ）に示すように、フォーカス環２２５Ａの回動位置を「Ｗ」（ワイド（広角））の位置にすると、図４（ｂ）に示すように、投射面２０には、小サイズの投射画像４０が投射される。投射面２０までの投射距離は、４０ｃｍである。
【００２３】
図５（ａ）に示すように、フォーカス環２２５Ａの回動位置を「Ｔ」と「Ｗ」との間の所定の範囲内の位置にすると、図５（ｂ）に示すように、投射面２０には、投射画像が投射されない。投射面２０までの投射距離は、４０ｃｍまたは３．０ｍである。フォーカス環２２５の回動位置がこの範囲内である場合、投射光学系２２１の焦点が投影面２０に合っていない。このような、焦点の合っていない状態では、バッテリ３２１を無駄に消耗させないように、ＬＥＤ光源２２３を消灯する。
【００２４】
部屋の壁までの投射距離、あるいは部屋の天井までの投射距離を、投射機能付きカメラ１Ａの位置を動かして４０ｃｍ、あるいは３．０ｍにするのは面倒である。そこで、「Ｔ」の位置を含む所定範囲内、あるいは「Ｗ」の位置を含む所定範囲内でフォーカス環２２５Ａを回動することによって、投射光学系２２１における焦点距離の微調整を行うことができる。たとえば、図６（ａ）に示すように、「Ｗ」の位置を含む所定範囲内でフォーカス環２２５Ａを回動すると、図６（ｂ）に示すように投射距離が２．５〜３．０ｍである範囲で焦点を調整できる。また、「Ｔ」の位置を含む所定範囲内でフォーカス環２２５Ａを回動することによって、投射距離が４０〜６０ｃｍである範囲で焦点を調節できる。
【００２５】
たとえば、フォーカス環２２５Ａの上方向（「ＯＦＦ」の表示方向）を基準位置（０°）とすると、フォーカス環２２５Ａの回動位置と、焦点が合う場合の投射距離との間の関係は、図７に示すようになる。ここで、「Ｗ」の位置を含む所定範囲（以下、Ｗの領域と呼ぶ）は、−６０°以上、−３０°以下の範囲であり、「Ｔ」の位置を含む所定範囲（以下、Ｔの領域と呼ぶ）は、＋３０°以上、＋６０°以下の範囲である。
【００２６】
次に図８を参照して、本発明の第１の実施形態における光源供給電力制御部１０１ＡのＬＥＤ光源２２３に供給する電力の制御処理について説明する。投射機能付きカメラ１Ａは、投射画像の大きさによって、投射光の輝度を変更する。なぜならば、小サイズの投射画像を投射する場合、大サイズの投射画像を投射する場合に比べて投射光の輝度を小さくしても、明るい投射画像を投射することができるからである。これにより、小サイズの投射画像を投射する場合、大サイズの投射画像を投射する場合に比べてＬＥＤ光源２２３に供給する電力を小さくすることができ、バッテリ３２１の消耗を抑えることができる。
【００２７】
図８の処理は、投射機能付きカメラ１Ａにより投射が開始されるとスタートするプログラムを実行して光源供給電力制御部１０１Ａにおいて行われる。
【００２８】
ステップＳ８０１では、フォーカス環２２５Ａの回動位置がＴの領域（＋３０°以上、＋６０°以下）であるか否かを判定する。フォーカス環２２５Ａの回動位置がＴの領域である場合はステップＳ８０１が肯定判定され、ステップＳ８０２へ進む。フォーカス環２２５Ａの回動位置がＴの領域でない場合はステップＳ８０１が否定判定され、ステップＳ８０３へ進む。ステップＳ８０２では、ＬＥＤ光源２２３に供給する電力を大にする。
【００２９】
ステップＳ８０３では、フォーカス環２２５Ａの回動位置がＷの領域（−６０°以上、−３０°以下）であるか否かを判定する。フォーカス環２２５の回動位置がＷの領域である場合はステップＳ８０３が肯定判定され、ステップＳ８０４へ進む。フォーカス環２２５Ａの回動位置がＷの領域でない場合はステップＳ８０３が否定判定され、ステップＳ８０５へ進む。ステップＳ８０４では、ＬＥＤ光源２２３に供給する電力を小にする。ステップＳ８０５では、ＬＥＤ光源２２３への電力の供給を停止する。
【００３０】
以上説明した第１の実施形態によれば、次の作用効果が得られる。
（１）大サイズの投射画像と小サイズの投影画像との間で投影画像を切り替える間、ＬＥＤ光源２２３への電力の供給を停止するようにした。したがって、投射光学系２２１の焦点が合っていない状態、つまり、投射画像を投射するのに不適切な状態で投射画像が投射されるのを防止することができる。これにより、バッテリ３２１の無駄な消耗を防止できる。また、大サイズの投射画像と小サイズの投影画像との間で投影画像を切り替えるユーザの操作に基づいて、ＬＥＤ光源２２３への電力の供給を停止するようにしたので、外部環境の誤認識によって、誤って電源を切断してしまうということが起こらない。
【００３１】
（２）小サイズの投射画像を投射する場合、大サイズの投射画像を投射する場合に比べてＬＥＤ光源２２３に供給する電力を小さくすることができ、バッテリ３２１の消耗を抑えることができる。
【００３２】
（３）フォーカス環２２５Ａの大サイズの投射画像に切り替える回動位置と小サイズの投射画像に切り替える回動位置との間の中間位置を検出して、ＬＥＤ光源２２３に供給する電力を停止するようにした。したがって、確実に投射画像を投射するのに不適切な状態を検出することができる。
【００３３】
（４）投射光学系２２１の焦点を調整するフォーカス環２２５Ａを用いて、ＬＥＤ光源２２３へ供給する電力を調整できるようにした。これにより、投射光学系２２１の焦点の調整と、ＬＥＤ光源２２３へ供給する電力の調整とをひとつの操作部材で行うことができ、投射機能付きカメラ１Ａの利便性が向上する。
【００３４】
（５）「Ｔ」の位置を含む所定範囲内、あるいは「Ｗ」の位置を含む所定範囲内でフォーカス環２２５を回動することによって、投射光学系２２１の焦点の微調整を行うことができるようにした。これにより、投射機能付きカメラ１Ａと投射面との間の距離が所定の投射距離になるように移動する必要がなくなり、投射機能付きカメラ１の利便性が向上する。
【００３５】
−第２の実施形態−
以下、図面を参照して本発明の第２の実施形態の投射機能付きカメラ１Ｂについて説明する。第１の実施形態の投射機能付きカメラ１Ａと異なる部分を主に説明する。図９（ａ）は、本発明の第２の実施形態による投射機能付きカメラ１Ｂを前方から見た図である。図９（ａ）において、投射機能付きカメラ１Ｂの正面には、撮像光学系１２１（図示せず。図１０参照。）を構成する撮影レンズ１２１Ａと、投射光学系２２１（図示せず。図１０参照。）の投射レンズ２２１Ａと、ズーム環２２６Ａとが設けられている。ズーム環２２６Ａは、投射レンズ２２１Ａの光軸を中心に回動可能である。投射機能付きカメラ１Ｂの筐体には、ズーム環２２６Ａの回動位置が認識できるように、「Ｗ」、「Ｔ」、「ＯＦＦ」の文字が表記されている。
【００３６】
ズーム環２２６Ａを回動すると、撮像光学系１２１を構成するズームレンズのレンズ位置が光軸方向で変わり、投射画像のサイズが変わる。ズーム環２２６Ａを「Ｗ」の位置に回動すると、小サイズの投射画像が投射され、ズーム環２２６Ａを「Ｔ」の位置に回動すると、大サイズの投射画像が投射されることになる。
【００３７】
図１０は、投射機能付きカメラ１Ｂの構成を説明するブロック図である。
【００３８】
制御回路１０１は、光源供給電力制御部１０１Ａを有する。光源供給電力制御部１０１Ａは、ズーム環２２６Ａの回動位置に基づいて、投射ユニット２００のＬＥＤ光源２２３に供給する駆動電流を制御する。
【００３９】
図１０の投射ユニット２００は、投射光学系２２１、液晶パネル２２２、ＬＥＤ光源２２３、投射制御回路２２４およびズーム環２２６Ａを含む。ズーム環２２６Ａは、回動可能な操作部材である。上述したように、ズーム環２２６Ａを回動すると、投射光学系２２１を構成するズームレンズのレンズ位置が光軸方向で変わり、投射面に投射される投射画像の大きさを変更することができる。また、ズーム環２２６Ａは、ズーム環２２６Ａの回動位置の情報を制御回路１０１に出力する。
【００４０】
図１１〜図１３を参照して、本発明の第２の実施形態における投射機能付きカメラ１Ｂの投影画像の大きさと、ズーム環２２６Ａの回動位置との関係について説明する。なお、投射機能付きカメラ１Ｂと投射面までの距離は一定のままとする。
【００４１】
図１１（ａ）に示すように、ズーム環２２６Ａの回動位置を「Ｔ」（テレ（望遠））の位置にすると、図１１（ｂ）に示すように、投射面２０には、大サイズの投射画像３０が投射される。
【００４２】
図１２（ａ）に示すように、ズーム環２２６Ａの回動位置を「Ｗ」（ワイド（広角））の位置にすると、図１２（ｂ）に示すように、投射面２０には、小サイズの投射画像４０が投射される。
【００４３】
図１３（ａ）に示すように、ズーム環２２６Ａの回動位置を「Ｔ」と「Ｗ」との間の所定の範囲内の位置にすると、図１３（ｂ）に示すように、投射面２０には、投射画像が投射されない。ズーム環２２６Ａの回動位置がこの範囲内である場合、投射光学系２２１の焦点が投影面２０に合っていない。このような、焦点の合っていない状態で、投射画像を投射するのは、バッテリ３２１を無駄に消耗させることになるからである。
【００４４】
次に図１４を参照して、本発明の第２実施形態における光源供給電力制御部１０１ＡのＬＥＤ光源２２３に供給する電力の制御処理について説明する。投射機能付きカメラ１Ｂも、第１の実施形態の投射機能付きカメラ１Ｂと同様に投射画像の大きさによって、投射光の輝度を変更する。
【００４５】
図１４の処理は、投射機能付きカメラ１Ｂにより投射が開始されるとスタートするプログラムを実行して光源供給電力制御部１０１Ａにおいて行われる。
【００４６】
ステップＳ１４０１では、ズーム環２２６Ａの回動位置がＴの位置であるか否かを判定する。ズーム環２２６Ａの回動位置がＴの位置である場合はステップＳ１４０１が肯定判定され、ステップＳ１４０２へ進む。ズーム環２２６Ａの回動位置がＴの位置でない場合はステップＳ１４０１が否定判定され、ステップＳ１４０３へ進む。ステップＳ１４０２では、ＬＥＤ光源２２３に供給する電力を大にする。
【００４７】
ステップＳ１４０３では、ズーム環２２６Ａの回動位置がＷの位置であるか否かを判定する。ズーム環２２６Ａの回動位置がＷの位置である場合はステップＳ１４０３が肯定判定され、ステップＳ１４０４へ進む。ズーム環２２６Ａの回動位置がＷの位置でない場合はステップＳ１４０３が否定判定され、ステップＳ１４０５へ進む。ステップＳ１４０４では、ＬＥＤ光源２２３に供給する電力を小にする。ステップＳ１４０５では、ＬＥＤ光源２２３への電力の供給を停止する。
【００４８】
以上説明した第２の実施形態によれば、次の作用効果が得られる。
（１）第１の実施形態と同様に、大サイズの投射画像と小サイズの投影画像との間で投影画像を切り替える間、ＬＥＤ光源２２３への電力の供給を停止するようにした。したがって、投射光学系２２１の焦点が合っていない状態、つまり、投射画像を投射するのに不適切な状態で投射画像が投射されるのを防止することができる。これにより、バッテリ３２１の無駄な消耗を防止できる。また、大サイズの投射画像と小サイズの投影画像との間で投影画像を切り替えるユーザの操作に基づいて、ＬＥＤ光源２２３への電力の供給を停止するようにしたので、外部環境の誤認識によって、誤って電源を切断してしまうということが起こらない。
【００４９】
（２）第１の実施形態と同様に、小サイズの投射画像を投射する場合、大サイズの投射画像を投射する場合に比べてＬＥＤ光源２２３に供給する電力を小さくすることができ、バッテリ３２１の消耗を抑えることができる。
【００５０】
（３）ズーム環２２６Ａの大サイズの投射画像に切り替える回動位置と小サイズの投射画像に切り替える回動位置との間の中間位置を検出して、ＬＥＤ光源２２３に供給する電力を停止するようにした。したがって、確実に投射画像を投射するのに不適切な状態を検出することができる。
【００５１】
（４）投射光学系２２１の焦点距離を調整するズーム環２２６Ａを用いて、ＬＥＤ光源２２３へ供給する電力を調整できるようにした。これにより、投射画像のサイズ調整と、ＬＥＤ光源２２３へ供給する電力の調整とをひとつの操作部材で行うことができ、投射機能付きカメラ１Ｂの利便性が向上する。
【００５２】
以上の実施形態を次のように変形することができる。
（１）第１の実施形態および第２の実施形態では、２通りの大きさで投射画像を投射できるが、投射画像の大きさは２通りに限定されない。たとえば、図１５のズーム環２２６Ｂが示すように、３通りの大きさで投射画像を投射できるようにしてもよい。ズーム環２２６Ｂを「Ｗ」の位置に回動すると、小サイズの投射画像が投射され、「Ｍ」の位置に回動すると、中サイズの投射画像が投射され、「Ｔ」の位置に回動すると、大サイズの投射画像が投射されることになる。
【００５３】
（２）フォーカス環２２５Ａの回動位置が「Ｔ」の位置を含む所定範囲および「Ｗ」の位置を含む所定範囲から外れると、または、ズーム環２２６Ａの回動位置が「Ｔ」の位置および「Ｗ」の位置から外れると、ＬＥＤ光源２２３に供給する電力を急に停止するのではなく、供給する電力を徐々に小さくして供給を停止するようにしてもよい。また、フォーカス環２２５Ａの回動位置が「Ｔ」の位置を含む所定範囲、あるいは「Ｗ」の位置を含む所定範囲に含まれると、またはズーム環２２６Ａの回動位置が「Ｔ」の位置あるいは「Ｗ」の位置になると、ＬＥＤ光源２２３に供給する電力を徐々に大きくするようにしてもよい。投射画像が突然消えたり、突然現れたりするのは好ましくないからである。
【００５４】
（３）ＬＥＤ光源２２３に供給する電力を変更する場合、ＬＥＤ光源２２３に供給する電流値を変更してもよい。また、一定値の電流を流す期間を変えるＰＷＭ（ Pulse Width Modulation ）によってＬＥＤ光源２２３に供給する電力を変更するようにしてもよい。
【００５５】
（４）フォーカス環２２５Ａの回動によって、フォーカスレンズのレンズ位置を変更するようにした。しかし、投射ユニット２００において、ボタンあるいはスイッチの操作によってフォーカスレンズのレンズ位置を変更する駆動装置を設け、駆動装置の動作によって投射光学系２２１の焦点位置を変更するようにしてもよい。また、ズームレンズのレンズ位置の変更についても、ボタンあるいはスイッチの操作によって行えるようにしてもよい。
【００５６】
（５）フォーカス環２２５Ａの回動位置が「Ｔ」の位置を含む所定範囲および「Ｗ」の位置を含む所定範囲から外れると、またはズーム環２２６Ａの回動位置が「Ｔ」の位置および「Ｗ」の位置から外れると、投射機能付きカメラ全体の電源がオフになるようにしてもよい。さらにバッテリ３２１の消耗を抑制することができる。
【００５７】
（６）フォーカス環２２５Ａの回動位置が「Ｔ」の位置を含む所定範囲、あるいは「Ｗ」の位置を含む所定範囲から外れると、またはズーム環２２６Ａの回動位置が「Ｔ」の位置および「Ｗ」の位置から外れると、ＬＥＤ光源２２３への電力の供給を停止するのではなく、ＬＥＤ光源２２３への電力の供給を、フォーカス環２２５Ａの回動位置が「Ｗ」の位置を含む所定範囲の場合、あるいはズーム環２２６Ａの回動位置が「Ｗ」の位置の場合より小さくするようにしてもよい。投射画像が消えてしまうと、ユーザは違和感を覚える場合があるからである。
【００５８】
（７）第２の実施形態の投射機能付きカメラ１Ｂにおいて、焦点の調整を行えるようにするためズーム環２２６Ａとともにフォーカス環を設けるようにしてもよい。
【００５９】
（８）本発明の実施形態では、投射機能付きカメラ１Ａ，１Ｂについて説明したが、投射機能付き電子機器であれば投射機能付きカメラ１に限定されない。たとえば、フォーカス環を備えたプロジェクタ装置、あるいは、ズーム環を備えたプロジェクタ装置でもよい。
図１６を参照して、フォーカス環を備えたプロジェクタ装置１０について説明する。図１６は、他の実施形態であるフォーカス環を備えたプロジェクタ装置１０の斜視図である。図１６において、プロジェクタ装置１０は、操作部材５０３と、液晶モニタ５０５と、投射レンズ６２１と、フォーカス環６２５とを有する。フォーカス環６２５は、投射レンズ６２１の光軸を中心に回動可能である。プロジェクタ装置１０の筐体には、フォーカス環６２５の回動位置が認識できるように、「Ｗ」、「Ｔ」、「ＯＦＦ」の文字が表記されている。
【００６０】
プロジェクタ装置１０は机上などに載置され、スクリーンもしくは壁に向けて画像などの情報を投影する。プロジェクタ装置１０は、情報を投影する代わりに、情報を液晶モニタ５０５に表示することも可能に構成されている。
【００６１】
図１７は、以上説明したプロジェクタ装置１０の構成を説明するブロック図である。図１１においてプロジェクタ装置１０は、制御回路５０１と、メモリ５０２と、操作部材５０３と、外部インターフェイス（Ｉ／Ｆ）５０４と、液晶モニタ５０５と、メモリカードインターフェイス（Ｉ／Ｆ）５０６と、ステレオスピーカ５０７と、ハードディスクドライブ装置５０８と、プロジェクタ部６００と、電源部７００とを有する。メモリカードインターフェイス５０６には、メモリカード５５０が接続されている。
【００６２】
プロジェクタ装置１０は、電子カメラで撮影された画像データ（画像ファイル）をメモリカード５５０やハードディスクドライブ装置５０８から読出すなどして、画像データによる再生画像をプロジェクタ部６００で投影したり、液晶モニタ５０５で表示したりする。プロジェクタ装置１０は、プロジェクタ装置１０内に保存されている画像データの他、外部インターフェイス５０４を介して外部機器から供給される画像データによる再生画像を投影する（もしくは表示する）ことも可能である。プロジェクタ装置１０はさらに、再生データをコピーしてハードディスクドライブ装置５０８に保存したり、再生データの管理情報を作成・保存したりする。
【００６３】
ハードディスクドライブ装置５０８は、メモリカード５５０に比べて大容量の記録装置である。ハードディスクドライブ装置５０８は、制御回路５０１からの指令により映像データや音声データなどのデータの書き込み、保存および読み出しが可能である。ステレオスピーカ５０７は、制御回路５０１から出力される音声データによる音声を再生する。
【００６４】
投射レンズ６２１は、液晶パネル６２から射出される光像をスクリーンなどへ向けて投影する。投射レンズ６２１には、投射面に焦点を合わせるためのフォーカスレンズが含まれる。
【００６５】
フォーカス環６２５は、回動可能な操作部材である。フォーカス環６２５を回動すると、フォーカスレンズのレンズ位置が光軸方向で変わり、投射面に焦点を合わせることができる。プロジェクタ装置１０も、投射機能付きカメラ１Ａと同様に、部屋の壁および部屋の天井に投射画像を投射することを想定している。フォーカス環６２５を「Ｗ」の位置付近に回動すると、部屋の壁に投射画像を投射することを想定して、投射距離が４０〜６０ｃｍである範囲で焦点を調節できる。フォーカス環６２５を「Ｔ」の位置付近に回動すると、部屋の天井に投射画像を投射することを想定して、投射距離が２．５〜３．０ｍである範囲で焦点を調整できる。このように、フォーカス環６２５の操作により、２通りの焦点を調整することができる。
【００６６】
投射機能付きカメラ１Ａと同様に、フォーカス環６２５を「Ｗ」の位置付近に回動すると、小サイズの投射画像が投射され、フォーカス環６２５を「Ｔ」の位置付近に回動すると、大サイズの投射画像が投射されることになる。
【００６７】
また、フォーカス環６２５は、フォーカス環６２５の回動位置の情報を制御回路５０１に出力する。
【００６８】
投射機能付きカメラ１Ａと同様に、フォーカス環６２５の回動位置を「Ｔ」と「Ｗ」との間の所定の範囲内の位置にすると、投射面には、投射画像が投射されない。
【００６９】
また、投射機能付きカメラ１Ａと同様に、「Ｔ」の位置を含む所定範囲内、あるいは「Ｗ」の位置を含む所定範囲内でフォーカス環６２５を回動することによって、投射レンズ２２１の焦点の微調整を行うことができる。
【００７０】
投射機能付きカメラ１Ａと同様に、プロジェクタ装置１０の光源供給電力制御部５０１Ａは、ＬＥＤ光源６２３に供給する電力を以下のように制御する。フォーカス環６２５の回動位置がＴの領域である場合は、ＬＥＤ光源６２３に供給する電力を大にする。フォーカス環６２５の回動位置がＷの領域である場合は、ＬＥＤ光源６２３に供給する電力を小にする。フォーカス環６２５の回動位置がＷの領域でもＴの領域でもない場合は、ＬＥＤ光源６２３への電力の供給を停止する。
【００７１】
以上の説明はあくまで一例であり、本発明は上記実施形態の構成に何ら限定されるものではない。
【図面の簡単な説明】
【００７２】
【図１】本発明の第１実施の形態による投射機能付きカメラを前方および後方から見た図である。
【図２】本発明の第１実施の形態による投射機能付きカメラの構成を説明するブロック図である。
【図３】フォーカス環の回動位置を「Ｔ」の位置にしたときの投射画像の大きさを説明するための図である。
【図４】フォーカス環の回動位置を「Ｗ」の位置にしたときの投射画像の大きさを説明するための図である。
【図５】フォーカス環の回動位置を「Ｗ」の位置と「Ｔ」の位置との間の所定範囲内にしたときの投射画像の非表示を説明するための図である。
【図６】投射画像の焦点合わせの微調整操作を説明するための図である。
【図７】フォーカス環の回動位置と投射距離との関係を説明するための図である。
【図８】本発明の第１実施の形態による光源供給電力制御部のＬＥＤ光源に供給する電力の制御処理を説明するためのフローチャートである。
【図９】本発明の第２実施の形態による投射機能付きカメラを前方および後方から見た図である。
【図１０】本発明の第２実施の形態による投射機能付きカメラの構成を説明するブロック図である。
【図１１】ズーム環の回動位置を「Ｔ」の位置にしたときの投射画像の大きさを説明するための図である。
【図１２】ズーム環の回動位置を「Ｗ」の位置にしたときの投射画像の大きさを説明するための図である。
【図１３】ズーム環の回動位置を「Ｗ」の位置と「Ｔ」の位置との間の所定範囲内にしたときの投射画像の非表示を説明するための図である。
【図１４】本発明の第１実施の形態による光源供給電力制御部のＬＥＤ光源に供給する電力の制御処理を説明するためのフローチャートである。
【図１５】他の実施形態におけるズーム環を説明するための図である。
【図１６】本発明の他の実施形態によるプロジェクタ装置を前方から見た図である。
【図１７】プロジェクタ装置の構成を説明するブロック図である。
【符号の説明】
【００７３】
１Ａ，１Ｂ  投射機能付きカメラ
１０  プロジェクタ装置
１００  撮像ユニット
１０１，５０１  制御回路
１０１Ａ，５０１Ａ  光源供給電力制御部
１０１Ｂ，５０１Ｂ  投射画像サイズ制御部
１０２  メモリ
２００  投射ユニット
２２１  投射光学系
２２３，６２３  ＬＥＤ光源
２２５Ａ，２２５Ｂ，６２５  フォーカス環
２２６Ａ  ズーム環
３００，７００  電源部
３２１，７２１  バッテリ
３２３，７２３  バッテリ残量予測回路
６００  プロジェクタ部
６２１  投射レンズ
【図１】
2009088898.tif 000003
【図２】
2009088898.tif 000004
【図３】
2009088898.tif 000005
【図４】
2009088898.tif 000006
【図５】
2009088898.tif 000007
【図６】
2009088898.tif 000008
【図７】
2009088898.tif 000009
【図８】
2009088898.tif 000010
【図９】
2009088898.tif 000011
【図１０】
2009088898.tif 000012
【図１１】
2009088898.tif 000013
【図１２】
2009088898.tif 000014
【図１３】
2009088898.tif 000015
【図１４】
2009088898.tif 000016
【図１５】
2009088898.tif 000017
【図１６】
2009088898.tif 000018
【図１７】
2009088898.tif 000019